(57)【要約】 【課題】  仰向けに寝る乳児が楽に授乳できるとともに、きわめて安定して授乳できる授乳補助具を提供するものである。【解決手段】  柔軟な材質からなる台部材１を設け、この台部材１の前部位置に前方下向きに傾斜する凹部２を形成し、この凹部２にベルト４の中間部を固定し、このベルト４を哺乳瓶６に巻き付けて哺乳瓶６を保持するようにしてある。【選択図】    図１
2005052332.tif 000002
【特許請求の範囲】
【請求項１】
柔軟な材質からなる台部材を設け、この台部材の前部位置に前方下向きに傾斜する凹部を形成し、この凹部にベルトの中間部を固定し、このベルトを哺乳瓶に巻き付けて哺乳瓶を保持するようにしてある授乳補助具。
【請求項２】
上記凹部の表面に面ファスナーのオス面を貼り付け、上記ベルトに面ファスナーのメス面を具備し、このベルトを、その面ファスナーのメス面を上記凹部の面ファスナーに面接着して、凹部に固定してある上記請求項１に記載の授乳補助具。
【請求項３】
上記凹部を概略Ｖ字形状の凹部としてある上記請求項１又は２に記載の授乳補助具。
【請求項４】
上記ベルトを伸縮性のあるベルトとしてある上記請求項１乃至３の何れかに記載の授乳補助具。
【請求項５】
上記ベルトの片面全体に面ファスナーのメス面を設け、ベルトの端位置のメス面と反対面に面ファスナーのオス面を設けてある上記請求項４に記載の授乳補助具。
【請求項６】
上記台部材を開閉自在の開閉容器とし、この台部材を哺乳瓶ケースとしてある上記請求項１乃至５の何れかに記載の授乳補助具。
【請求項７】
上記台部材の底面に滑りにくい素材を用いてある上記請求項１乃至６の何れかに記載の授乳補助具。
【発明の詳細な説明】
【技術分野】
【０００１】
本発明は、乳児に哺乳瓶で授乳させる際に使用する授乳補助具に関する。
【背景技術】
【０００２】
最近では、夫婦共働きが多く、炊事、洗濯、掃除など、夫婦間での分業化が多くなっている。そこで育児に使う時間が減少する傾向にあり、乳児に授乳する時間もままならないし、長時間の授乳のために同じ体勢を続けることも困難で身体全体の疲労につながり、毎３時間程毎に繰り返す授乳は育児ノイローゼにつながる。そこで、授乳の際に手間をかけずに安全で簡単に授乳できる授乳補助具があると便利である。
【０００３】
この種の人手をかけずに比較的安全で簡単に授乳できる授乳補助具が既に開発され提案されている。
例えば、弾力性を備えた材質をもって象形形状に形成した支持具本体に哺乳瓶を嵌合保持するための哺乳瓶保持溝を形成した哺乳器の支持具が公知である（例えば特許文献１）。
さらに、揺動して一定の姿勢を保つ例えば起き上がりこぶしである揺動手段と、この揺動手段に設けられ、哺乳瓶を保持可能にした保持手段とからなる哺乳瓶の保持器が公知である（例えば特許文献２）。
また、柔軟な外包部材に気体又は液体又は粒状体などの充填材をその外包部材が張り詰めない状態に充填したお手玉形態であって、仰向けに寝かせた乳児の身体の上に負担無く載置可能な大きさと重さにした台部材と、この台部材と哺乳瓶の相対的な滑りを防止して哺乳瓶の胴部を台部材上に固定する滑り止め手段とから構成してある授乳補助具が公知である（例えば特許文献３）。
【特許文献１】特開平７−２８９６１１号公報
【特許文献２】特開平９−２９４６５５号公報
【特許文献３】特開２００１−５４５５４号公報
【発明の開示】
【発明が解決しようとする課題】
【０００４】
上記特許文献１の先行例は、その支持具本体を、また、特許文献２の先行例は、その揺動手段を、乳児が横臥しているベッド又は布団の上の乳児の顔のそばに設置し、乳児が横向きになって授乳するものである。これは乳児が一度哺乳瓶を口から離してしまうと、乳児はきわめて横向きになり難いため、再度の授乳が困難になるという課題がある。
つぎに、特許文献３の先行例は、その台部材がお手玉形状であるから、乳児の胸に安定して置かれることが困難で、安定性に欠けるという課題がある。
本発明は、上記課題に鑑み、仰向けに寝る乳児が楽に授乳できるとともに、きわめて安定して授乳できる授乳補助具を提供するものである。
【課題を解決するための手段】
【０００５】
そのために、本発明授乳補助具は、柔軟な材質からなる台部材を設け、この台部材の前部位置に前方下向きに傾斜する凹部を形成し、この凹部にベルトの中間部を固定し、このベルトを哺乳瓶に巻き付けて哺乳瓶を保持するようにしてある。
上記凹部の表面に面ファスナーのオス面を貼り付け、上記ベルトに面ファスナーのメス面を具備し、このベルトを、その面ファスナーのメス面を上記凹部の面ファスナーに面接着して、凹部に固定してある。
【０００６】
また、本発明授乳補助具は、上記凹部を概略Ｖ字形状の凹部としてある。
さらに、本発明授乳補助具は、上記ベルトを伸縮性のあるベルトとしてある。
また、本発明授乳補助具は、上記ベルトの片面全体に面ファスナーのメス面を設け、ベルトの端位置のメス面と反対面に面ファスナーのオス面を設けてある。
さらに、本発明授乳補助具は、上記台部材を開閉自在の開閉容器とし、この台部材を哺乳瓶ケースとしてある。
また、本発明授乳補助具は、上記台部材の底面に滑りにくい素材を用いてある。
上記台部材のベルトの固定及びベルトの端同士の連結は、面ファスナーに限定されることなく、一般的に固定手段として使用されるワンタッチ式着脱手段、開閉手段、ボタン、ファスナー等、種々の着脱手段を用いても、本発明の範疇に含まれる。
【発明の効果】
【０００７】
本発明の授乳補助具は、柔軟な材質からなる台部材を設け、この台部材の前部位置に前方下向きに傾斜する凹部を形成し、この凹部にベルトの中間部を固定し、このベルトを哺乳瓶に巻き付けて哺乳瓶を保持するようにしてあるから、上記台部材を仰向けに寝る乳児の胸の上に載置すれば、哺乳瓶の飲み口が乳児の口元に位置付けられ、安定して授乳できる効果がある。そして、乳児が一旦哺乳瓶の飲み口を口元から離しても、哺乳瓶の飲み口が乳児の口元にあるから、乳児はすぐに哺乳瓶の飲み口をくわえることができる効果がある。
さらに、ベルトを哺乳瓶に巻き付けて保持するから、哺乳瓶の台部材に対する上下位置も調節できる効果がある。
また、本発明授乳補助具は、乳児が通常の仰向けに寝ている状態だけでなく、乳母車、自動車のチャイルドシート等に座っている状態でも充分使用できる効果がある。
【０００８】
さらに、本発明授乳補助具は、上記凹部の表面に面ファスナーのオス面を貼り付け、上記ベルトに面ファスナーのメス面を具備し、このベルトを、その面ファスナーのメス面を上記凹部の面ファスナーに面接着して、凹部に固定してあるから、ベルトの凹部への着脱、ベルトによる哺乳瓶の着脱等その取り扱いが簡単、便利であるという効果がある。
また、本発明授乳補助具は、上記凹部を概略Ｖ字形状の凹部としてあるから、太さの異なる哺乳瓶にも充分対応できるという効果がある。
さらに、本発明授乳補助具は、上記ベルトを伸縮性のあるベルトとしてあるから、哺乳瓶の巻き付け保持が容易であり、太さの異なる哺乳瓶にも有効である効果がある。
また、本発明授乳補助具は、上記ベルトの片面全体に面ファスナーのメス面を設け、ベルトの端位置のメス面と反対面に面ファスナーのオス面を設けてあるから、取り扱いがきわめて容易である効果がある。
さらに、本発明授乳補助具は、上記台部材を開閉自在の開閉容器とし、この台部材を哺乳瓶ケースとしてあるから、移動のときの携帯に便利である効果がある。
また、本発明授乳補助具は、上記台部材の底面に滑りにくい素材を用いてあるから、仰向けに寝る乳児の胸上に安定して置くことができる効果がる。
【発明を実施するための最良の形態】
【０００９】
図面に示した好ましい実施例により本発明の詳細を説明する。
図中１が台部材で、５〜７ｃｍ程度の厚みのある発泡ポリウレタン製ブロック状のものであり、表面を柔軟な布で覆ってある。図示した実施例では、図４及び図５から判るように平面半円形状としてあるが、これは矩形でも正方形でもよい。この台部材１の前部位置に前方下向きに傾斜する凹部２を形成してあり、この凹部２の表面に面ファスナーのオス面３を貼り付けてある。
【００１０】
また、図中４が片面前面に面ファスナーのメス面５を具備したベルトで、ゴム状の伸縮性のあるものを使用してある。このベルト４の略中央部の面ファスナーのメス面５を上記凹部２の面ファスナーのオス面５に面接着し（図４図示）、このベルト４を哺乳瓶６に巻き付けて哺乳瓶６を台部材１に保持する。図示した実施例ではベルト４の端位置のメス面と反対の面位置に面ファスナーのオス面７を設けてあり、このオス面をベルト４の片面５に面接着して哺乳瓶６を保持するようにしてある。
【００１１】
このように伸縮性のあるベルト４の片面全体に面ファスナーのメス面５を設け、ベルト４の端の他面即ちメス面５と反対面にオス面７を設けてあるから、ベルト４を台部材１の凹部２に面接着させ、ベルト４を伸張して哺乳瓶６に巻き付けることで哺乳瓶を容易にしかも安定して保持できる。そしてこの構成により、太さの異なる哺乳瓶でもまた哺乳瓶のどの位置でも巻き付け保持することができる。
しかも、伸縮性のベルト４で哺乳瓶を巻き付け保持し、ベルト４は凹部２の面ファスナーのオス面３に面接着してあるから、図１０に示すように哺乳瓶は比較的自由に動き、乳児が授乳し易いし、乳児が口から哺乳瓶の飲み口を外しても、飲み口は乳児の口元にあるから乳児は再度口に飲み口をくわえて授乳できる。即ち乳児は自由に授乳したり休んだりすることができる。また哺乳瓶の飲み口は吸引しない限り乳が出ることはないから安全である。
【００１２】
図８に別の実施例を示してある。この実施例では台部材１を開閉自在の開閉容器８とし、ファスナー９で開閉でき、この容器８中に哺乳瓶６を収容して携帯し易くしてある。また、図９に別の実施例が示してあり、台部材１を山型にしてあり台部材の軽量化を図ってある。
そして上記各台部材１の底面１０に滑り難い素材を用いることにより、乳児の胸上で安定性をよりよくすることができる。
【図面の簡単な説明】
【００１３】
【図１】本発明授乳補助具を示す斜面図。
【図２】同じくその側面図。
【図３】同じくその正面図。
【図４】台部材のベルトを面接着した状態の斜面図。
【図５】台部材とベルトを分離して示す斜面図。
【図６】台部材の正面図。
【図７】異なる太さの哺乳瓶を取着できることを示す正面図。
【図８】台部材の別の実施例を示す斜面図。
【図９】台部材の別の実施例を示す斜面図。
【図１０】本発明授乳補助具により授乳している状態の側面図。
【図１１】同じくその斜面図。
【符号の説明】
【００１４】
１  台部材
２  凹部
３  面ファスナーのオス部
４  ベルト
５  面ファスナーのメス部
６  哺乳瓶
７  オス面
８  開閉容器
９  ファスナー
１０  底面
【図１】
2005052332.tif 000003
【図２】
2005052332.tif 000004
【図３】
2005052332.tif 000005
【図４】
2005052332.tif 000006
【図５】
2005052332.tif 000007
【図６】
2005052332.tif 000008
【図７】
2005052332.tif 000009
【図８】
2005052332.tif 000010
【図９】
2005052332.tif 000011
【図１０】
2005052332.tif 000012
【図１１】
2005052332.tif 000013